(57)【特許請求の範囲】
【請求項１】
エンクロージャ内空間の空気を減湿するシステムにおいて、
少なくとも１つの空気／ブライン熱交換器ユニットであって、外部からその熱交換器に導入された低温の外気を加熱し、また蒸気を凝縮することによって前記エンクロージャ内の空気を減湿するための空気／ブライン熱交換器ユニットと、
前記空気／ブライン熱交換器にブラインで連絡しているブライン再生器と、
前記ブライン再生器に閉じたループ状の空気で連絡している水凝縮器と、
前記凝縮器に水で連絡しており、再生器からエンクロージャ内の空間に熱を伝達するように動作可能な、エンクロージャ内に位置する冷水器／空気加熱器ユニットと
を含むシステム。
【請求項２】
前記低温の外気が送風機によって前記熱交換器ユニット内に導入される請求項１に記載のシステム。
【請求項３】
前記低温の外気が、前記エンクロージャの開口によって前記熱交換器の一部分に導入される請求項１に記載のシステム。
【請求項４】
エンクロージャ内の空間から前記熱交換器ユニット内に空気を導入するための送風機をさらに含む請求項１に記載のシステム。
【請求項５】
前記熱交換器ユニットおよび前記再生器から導かれる導管につながったブライン加熱器をさらに含む請求項１に記載のシステム。
【請求項６】
前記再生器が、前記熱交換器ユニットの最上部から前記凝縮器の下部に空気を送るための送風機を有する熱交換器ユニットによって構成される請求項１に記載のシステム。
【請求項７】
前記凝縮器に、凝縮水を排出するための水出口手段が設けられる請求項１に記載のシステム。
【請求項８】
前記冷水器／空気加熱器ユニットが、スイミングプールにより構成される請求項１に記載のシステム。
【請求項９】
前記冷水器／空気加熱器ユニットが、水導管と、前記導管を通過する方向に空気を向けるファンによって構成される請求項１に記載のシステム。
【請求項１０】
前記冷水器／空気加熱器ユニットが、前記空気／ブライン熱交換器の最上部に配置される請求項１に記載のシステム。
【発明の詳細な説明】
【０００１】
【発明の属する技術分野】
本発明は、エンクロージャ内の空気を減湿するシステムに関する。
【０００２】
【従来の技術】
低温の空気の蒸気含有量は、例えば空気１ｋｇ当たり６ｇであり、エンクロージャ内の温かい空気の蒸気含有量、すなわち温室の場合の１１ｇ／ｋｇおよび室内スイミングプールの場合の１５ｇ／ｋｇよりもかなり少ない。このような状況のもとで、除湿のためにエンクロージャ内では一般に換気が行われている。しかし換気を行うと、エンクロージャからは熱および潜熱も奪われる。例えば、スイミングプールのエンクロージャ内の水蒸気を１ｋｇ除去するには、１．２ｋＷの熱が必要とされる。温室では、水蒸気１ｋｇを除去するのに３ｋＷの熱が必要とされるが、その理由は、植物の蒸散が対流加熱に関係するからである。
【０００３】
【発明が解決しようとする課題】
したがって本発明の広範な目的は、奪われる熱を最小限に抑えた状態で、エンクロージャ内を経済的に除湿するシステムを提供することである。
【０００４】
【課題を解決するための手段】
したがって本発明によれば、エンクロージャ内空間の空気を減湿するシステムが提供され、前記システムは、少なくとも１つの空気／ブライン熱交換器ユニットであって、外部からこの熱交換器に導入される低温の外気を加熱するための、かつ蒸気を凝縮することによって前記エンクロージャ内の空気を減湿するための空気／ブライン熱交換器ユニットと、前記空気／ブライン熱交換器にブラインで連絡されるブライン再生器とを含む。
次に、本発明について、より完全に理解できるように、以下の例示的な図を参照しながら特定の好ましい実施形態に関連して記述する。
【０００５】
具体的な図を詳細に参照すると、図示される構成要素は単なる一例であって、本発明の好ましい実施形態の単なる例示的な考察を目的とするものであり、本発明の原理および概念的側面に関する最も有用で容易に理解される記述を提供するために示されるものであることが強調される。この点について、本発明の構造上の詳細は、本発明の基本的な理解に必要とされるよりも詳細に示そうとする試みはなされておらず、その記述を図面と併せて読むことによって、実際に本発明のいくつかの形態がどのように具体化されるのか、当業者に明らかにされる。
【０００６】
【発明の実施の形態】
図１を参照すると、温室やスイミングプールを収容する建物など、エンクロージャ４を減湿するためのシステムが示されている。このシステムは、２つのほぼ同様な熱交換器ユニット、すなわち第１の冷（周囲）空気／温ブライン熱交換器ユニット６と、第２の温空気／冷ブライン熱交換器ユニット８を含む。熱交換器ユニット６および８は、それぞれ、ハウジング１０、１０’と、ハウジングの上部に配置されているブライン液体入口手段１２、１２’とからなる。液体入口手段は、１組の滴下式またはスプレイ式のノズルまたはアパーチャによって具体化することが有利である。ブライン入口手段１２、１２’の下には、ブライン／空気熱交換器１４、１４’が取り付けられている。この熱交換器は、密に折り重ねられたカートン紙、または充てんされた粒子であり、例えばガラスやセラミック製の丸石やビーズで作製することができる。ハウジングの下部は、ブライン貯蔵部１６、１６’を構成し、一方、液体レベル２０、２０’と熱交換器１４、１４’により範囲が画定されるハウジング内の空間１８および１８’のそれぞれはブライン滴下領域としての役割をし、この領域は、例えば送風機２２、２２’、あるいは任意のその他の自然または強制手段によってこの空間内に導入された、周囲空気に曝される。
【０００７】
貯蔵部１６からのブラインは、ポンプ２４により導管２６を経てブライン入口手段１２’に送られ、一方、貯蔵部１６’からのブラインは、ポンプ２８および導管３０によってブライン入口手段１２に送り返され、それと共に導管３２を経てブライン加熱器３４に、例えば温水／冷ブライン熱交換器に送り返される。加熱されたブラインは、ハウジング１０”、ブライン入口手段１２”、ブライン／空気熱交換器１４”、ブライン貯蔵部１６”、およびブライン滴下領域１８”からなるブライン再生器３６に進む。この貯蔵部１６”は、導管３８によって熱交換器８の貯蔵部１６’に接続される。
【０００８】
再生器３６に隣接して、ハウジング４２、液体入口手段４４、熱交換器４６、滴下領域４８、および貯蔵部５０からなる凝縮器４０、好ましくは空気−冷水直接接触型凝縮器が位置している。ブライン再生器３６と凝縮器４０は、再生器３６のブライン入口手段１２”の上方の空間５６内に位置する送風機５４から、凝縮器４０の滴下領域４８に導かれる導管５２によって、動作可能に相互接続されており、また、凝縮器４０の液体入口４４の上方の空間６０と再生器３６の滴下領域１８”の間を連絡する導管５８によって接続されている。
【０００９】
さらに図１には、貯蔵部５０から導管６４を介して冷水器／空気加熱器ユニット、例えばスイミングプール６６、水／空気熱交換器６８、またはその両方に水を送るためのポンプ６２が示されている。冷水器によって冷却された水は、導管７０を経て凝縮器４０の水入口４４に送られる。冷水器／空気加熱器の熱交換器６８は、導管６４および７０とファン７４に流体連絡するコイル７２からなる。凝縮器４０の貯蔵部５０には、凝縮水出口７５が取り付けられており、温室の場合にはエンクロージャの内部または外部の植物に導かれ、または別の方法で使用される場合にはその外部に導かれる。
このシステムの動作は以下の通りである。
【００１０】
外部から低温の乾燥した空気を熱交換器６に導入する。この空気は温かいブラインと相互に作用し、導入されたときに保有していた蒸気とほぼ同じ量の蒸気を含有した状態で、かつエンクロージャ４内に行き渡っている温度でこのユニットから出ていく。
【００１１】
内部の空気は貯蔵部１６の低温ブラインと相互に作用する。ユニット８での凝縮はブラインを加熱する。すなわち、内部空気の潜熱によって温められたブラインが、外気を加熱するのである。このプロセスにより、ユニット８でブラインの凝縮がおこるとユニット６の低温ブラインが加熱され、潜熱を顕熱に変換する。このようにして、温かいブラインが外気を加熱し、その後、この外気がエンクロージャ４内に導入される。
【００１２】
ユニット８からのブラインは熱交換器３４内を通過して送られ、このときブラインが加熱されて、その後、再生器３６に入る。高温のブラインは、凝縮器４０との間で閉ループを作っている空気と熱および蒸気を交換する。その結果、ブラインは冷却される間に蒸発し、再生器３６に入る空気はブラインで加熱される間に蒸気を捕集する。高温で湿度の高い空気は凝縮器４０内に循環され、そこでは水が加熱されながら蒸気を捕集する。温水はさらにユニット６８のコイル７２内を循環し、コイルから放射された熱をファン７４でエンクロージャ４内に吹き出す。図１の特定の実施形態で、熱はスイミングプール６６にも伝達される。凝縮水は出口７５から出て行く。
【００１３】
上述のように、再生ユニットはエンクロージャ内に保持され、一方、ユニット８の凝縮熱は顕熱として外気ユニット６に導入され、その後、エンクロージャ内に伝達される。
【００１４】
次に図２を参照すると、図１のシステム２をわずかに変更した例が示されており、単一の空気／ブライン熱交換器ユニット７６が設けられているが、このユニット７６には、ユニット７６の内部からエンクロージャ８０内の空間に加熱された空気を吹き出すための、ファン７８が備え付けらている。この図に見られるように、エンクロージャ８０は、開口８２と、ユニット７６の下部を包む壁部８４を有している。低温の外部空気は開口８２内に入り、ユニット７６の下部と接触し、そこでブラインにより加熱され、高温の空気としてエンクロージャ内に放出される。このユニットの上部は、エンクロージャ８０内の空気と接触している。エンクロージャ内の空気は、ブラインが外気と接触する前にブラインと接触してこれを加熱する。ユニット７６は、貯蔵部８６と、ブラインを貯蔵部８６から導管９０を通してブライン入口手段９２まで上昇させるためのポンプ８８も含む。このシステムの残りの部分およびその動作は、図１に関して上記で述べたものと同様である。
【００１５】
図３には本発明の別の実施形態が示されており、図１で水／空気熱交換器６８を利用する代わりに、熱交換器８の最上部に配置された空気／水熱交換器９４により凝縮器４０内の水を冷却し、それによって送風機２２”を利用する。貯蔵部５０からの水は、ポンプ６２によって導管９６を介して熱交換器９４に送られ、そこで水が冷却され、導管９８を経て凝縮器４０の水入口４４に戻される。
【００１６】
ブラインを正しい濃度に保つため、再生器３６に流入するブラインの温度は高すぎないように、かつ低すぎないようにするべきである。ブラインの温度はブライン加熱器３４により制御することができる。
【００１７】
さらに、再生器３６へのブラインの流量は多すぎないようにするべきである。高温で再生器を出るブラインは、その蒸気圧が増大することになる。再生器への、または再生器からのブライン流量が、熱交換器ユニット６、８、または６８でのブライン流量に比べて多い場合、貯蔵部１６’または８６でのブライン温度は上昇し、その結果、熱交換器ユニット６でのブラインの蒸気圧が増大し、エンクロージャに入る外気の蒸気含有量も増加し、減湿速度が低下する。
【００１８】
本発明は、前述の例示された実施形態の詳細に限定されず、本発明は、その精神または本質的な属性から逸脱することなく他の特定の形態に具体化できることが、当業者に明らかである。したがって前述の実施形態は、全ての点で例示的であり限定的ではないと考えられ、本発明の範囲は先の記述ではなく上記特許請求の範囲によって示され、したがって特許請求の範囲の意味および均等な範囲内にある全ての変更は本発明に包含されることが意図される。
【図面の簡単な説明】
【図１】本発明によるエンクロージャ内の空気を経済的に減湿するシステムの、概略断面図である。
【図２】本発明によるエンクロージャ内の空気を減湿するシステムの、別の実施形態の断面図である。
【図３】本発明によるエンクロージャ内の空気を減湿するシステムの、さらに別の実施形態の断面図である。
【符号の説明】
４  エンクロージャ
６  冷空気／温ブライン熱交換器ユニット
８  温空気／冷ブライン熱交換器ユニット
１０、１０’、１０”  ハウジング
１２、１２’、１２”  ブライン入口手段
１４、１４’、１４”  ブライン／空気熱交換器
１６、１６’、１６”  ブライン貯蔵部
１８、１８’、１８”  ブライン滴下領域
２０、２０’  液体レベル
２２、２２’  送風機
２４、２８  ポンプ
２６，３０，３２  導管
３４  ブライン加熱器
３６  ブライン再生器
３８  導管
４０  凝縮器
４２  ハウジング
４４  液体入口手段
４６  熱交換器
４８  滴下領域
５０  貯蔵部
５２  導管
５４  送風機
５６  ブライン入口手段の上方の空間
５８  導管
６０  液体入口手段の上方の空間
６２  ポンプ
６４  導管
６６  スイミングプール
６８  水／空気熱交換器
７０  導管
７２  コイル
７４  ファン
７５  凝縮水出口
７６  空気／ブライン熱交換器ユニット
７８  ファン
８０  エンクロージャ
８２  開口
８４  壁部
８６  貯蔵部
８８  ポンプ
９０  導管
９２  ブライン入口手段
９４  空気／水熱交換器
９６，９８  導管
【図１】
0004658343.tif 000002
【図２】
0004658343.tif 000003
【図３】
0004658343.tif 000004